(57)【要約】【課題】自動ケーブルタイ工具を固定具に良好に位置決めでき且つ固定できる、改良取り付け装置を持つハーネスボード固定具を提供する。【解決手段】取り付け装置は、固定具の円弧状ワイヤ束支持面の同じ側に設けられていてもよいし両側に設けられていてもよい。同じ側に取り付けられている場合には、多数の取り付け装置又は配置装置を互いに近づけて配置することができる。固定具の前側を形成する反対側は、容易にアクセスできるワイヤ束入口及び出口経路を画成するように開放していてもよい。固定具は、好ましくは、プッシュマウントを確実に受け入れ、スナップ嵌めによって解放自在に保持する取り付け構造を含む。この構造は、固定具のベースに対して実質的に垂直方向に配向されているか或いは所定の角度をなしている。【選択図】図１
2006137495.tif 000002
【特許請求の範囲】
【請求項１】
固定具に位置決めされたワイヤ束にケーブルタイを適用するのに使用される自動ケーブルタイ工具を容易に且つしっかりと取り付けることができるハーネスボード固定具において、
円弧状ワイヤ束支持面を画定する主本体と、
支持面に取り付けることができるベースと、
前記自動ケーブルタイ工具を前記固定具に正確に取り付けるための工具配置装置とを備え、この配置装置は、
前記自動ケーブルタイ工具の少なくとも一つの工具配置スタッドを固定的に受け入れ、前記工具の前後移動を制限するため、前記主本体に設けられた少なくとも一つの工具配置サドルと、
前記自動ケーブル工具の対応する配置装置と噛み合うため、前記主本体に前記工具配置サドルから離して設けられた少なくとも一つの工具配置パッドとを含む、ハーネスボード固定具。
【請求項２】
請求項１に記載のハーネスボード固定具において、
前記少なくとも一つの工具配置サドルは一対の工具配置サドルを含む、ハーネスボード固定具。
【請求項３】
請求項１に記載のハーネスボード固定具において、
前記少なくとも一つの工具配置サドル及び前記少なくとも一つの工具配置パッドは前記円弧状ワイヤ束支持面の両側に設けられている、ハーネスボード固定具。
【請求項４】
請求項１に記載のハーネスボード固定具において、
前記少なくとも一つの工具配置サドル及び前記少なくとも一つの工具配置パッドは前記円弧状ワイヤ束支持面の同じ側に設けられている、ハーネスボード固定具。
【請求項５】
請求項４に記載のハーネスボード固定具において、
前記工具配置サドル及び前記工具配置パッドの反対側の前記固定具の前側は開放しており、容易にアクセスできるワイヤ束入口及び前記前側からの出口経路を画定する、ハーネスボード固定具。
【請求項６】
請求項１に記載のハーネスボード固定具において、
前記工具配置装置の少なくとも一方に傾斜した案内面が設けられており、これにより、前記工具を最初に大まかに配置でき、前記工具を正確に整合した位置に案内できる、ハーネスボード固定具。
【請求項７】
請求項１に記載のハーネスボード固定具において、
前記円弧状ワイヤ束支持面は、プッシュマウントをケーブルタイの経路に取り外し可能に固定する凹所をなしたキャビティを含む、ハーネスボード固定具。
【請求項８】
請求項７に記載のハーネスボード固定具において、
前記凹所をなしたキャビティでの前記プッシュマウントの位置を検出するため、少なくとも一つのセンサが前記主本体に取り付けられている、ハーネスボード固定具。
【請求項９】
請求項１に記載のハーネスボード固定具において、
前記固定具への前記自動ケーブルタイ工具の取り付けを検出するため、少なくとも一つのセンサが前記主本体に取り付けられている、ハーネスボード固定具。
【請求項１０】
固定具に位置決めされたワイヤ束にケーブルタイを適用するのに使用される自動ケーブルタイ工具を容易に且つしっかりと取り付けることができるハーネスボード固定具において、
円弧状ワイヤ束支持面を画定する主本体と、
支持面に取り付けることができるベースと、
前記自動ケーブルタイ工具を前記固定具に正確に取り付けるための工具配置装置とを備え、この工具配置装置は、
前記自動ケーブルタイ工具の少なくとも一つの工具配置スタッドを固定的に受け入れるため、前記ワイヤ束支持面の一方の側で前記主本体に設けられた少なくとも一つの工具配置サドルと、
前記自動ケーブル工具に設けられた対応する配置装置と噛み合うため、前記主本体に前記工具配置サドルから離して前記ワイヤ束支持面の同じ側に設けられた少なくとも一つの工具配置パッドとを含み、
前記配置装置の反対側の前記固定具の前側は、前側から容易にアクセスできるワイヤ束入口及び出口経路を画定するため、開放したままである、ハーネスボード固定具。
【請求項１１】
請求項１０に記載のハーネスボード固定具において、
前記円弧状ワイヤ束支持面は、プッシュマウントを取り外し自在に固定する凹所をなしたキャビティをケーブルタイの経路に含む、ハーネスボード固定具。
【請求項１２】
固定具に位置決めされたプッシュマウント及びワイヤ束にケーブルタイを適用するのに使用される自動ケーブルタイ工具を容易に且つ固定的に取り付けることができる、ハーネスボード固定具及びプッシュマウントアッセンブリにおいて、
プッシュマウントをケーブルタイの経路に取り外し可能に固定する保持ラッチを持つ凹所をなしたキャビティを含む円弧状ワイヤ束支持面を画成する主本体、
支持面に取り付けることができるベースと、
前記自動ケーブルタイ工具を前記固定具に正確に取り付けるための工具配置装置とを備え、前記工具配置装置は、
前記自動ケーブルタイ工具に設けられた少なくとも一つの工具配置スタッドを固定的に受け入れるため、前記主本体に前記ワイヤ束支持面の一方の側に設けられた少なくとも一つの工具配置サドルと、
前記自動ケーブル工具に設けられた対応する配置装置と噛み合うため、前記主本体に前記工具配置サドルから離して設けられた少なくとも一つの工具配置パッドとを含む、ハーネスボード固定具及びプッシュマウントアッセンブリ。
【請求項１３】
請求項１２に記載のハーネスボード固定具及びプッシュマウントアッセンブリにおいて、
前記工具配置装置の少なくとも一方が、前記工具を最初に大まかに配置してこの工具を正確に整合した位置に案内できる傾斜した案内面を含む、ハーネスボード固定具及びプッシュマウントアッセンブリ。
【請求項１４】
請求項１２に記載のハーネスボード固定具及びプッシュマウントアッセンブリにおいて、
前記主本体は、前記固定具をプッシュマウントを用いた又は用いないケーブルタイ作業に適合できる少なくとも一つの取り外し可能のアダプタを含む、ハーネスボード固定具及びプッシュマウントアッセンブリ。
【請求項１５】
請求項１２に記載のハーネスボード固定具及びプッシュマウントアッセンブリにおいて、
前記凹所をなしたキャビティは、前記プッシュマウントを前記ベースに対して実質的に垂直に保持するように配向されている、ハーネスボード固定具及びプッシュマウントアッセンブリ。
【請求項１６】
請求項１５に記載のハーネスボード固定具及びプッシュマウントアッセンブリにおいて、
前記凹所をなしたキャビティは、前記プッシュマウントを垂直方向から０°乃至２０°の角度αに保持するように配向されている、ハーネスボード固定具及びプッシュマウントアッセンブリ。
【請求項１７】
請求項１２に記載のハーネスボード固定具及びプッシュマウントアッセンブリにおいて、
前記プッシュマウントは、外方に突出した保持エレメントを含み、前記保持ラッチは少なくとも一つの可撓性片持ち梁式アームを含み、このアームは、撓むことによって前記プッシュマウントの挿入を可能にするが、前記プッシュマウントの前記保持エレメントと相互係合し、前記プッシュマウントを前記固定具に解放可能に保持する、ハーネスボード固定具及びプッシュマウントアッセンブリ。
【請求項１８】
請求項１２に記載のハーネスボード固定具及びプッシュマウントアッセンブリにおいて、
前記プッシュマウントは保持キャビティを含み、前記保持ラッチは少なくとも一つの可撓性アームを含み、このアームは、撓むことによって前記プッシュマウントの挿入を可能にするが、前記プッシュマウント内のキャビティと相互係合し、前記プッシュマウントを前記固定具に解放可能に保持する、ハーネスボード固定具及びプッシュマウントアッセンブリ。
【請求項１９】
請求項１８に記載のハーネスボード固定具及びプッシュマウントアッセンブリにおいて、
前記保持キャビティは細長く、前記保持ラッチにより前記プッシュマウントは前記固定具に対して或る程度垂直方向に移動できる、ハーネスボード固定具及びプッシュマウントアッセンブリ。
【請求項２０】
請求項１８に記載のハーネスボード固定具及びプッシュマウントアッセンブリにおいて、
前記保持ラッチは、前記プッシュマウントを垂直方向固定位置に解放可能に固定する、ハーネスボード固定具及びプッシュマウントアッセンブリ。
【発明の詳細な説明】
【技術分野】
【０００１】
本非仮特許出願は、２００４年１０月１３日に出願された米国仮特許出願第６０／６１８，４９２号及び２００５年６月２１日に出願された米国仮特許出願第６０／６９２，６７９号の優先権を主張するものである。
【０００２】
本発明はハーネスボード固定具に関し、更に詳細には、固定具に位置決めしたワイヤ束にケーブルタイを適用するのに使用される自動ケーブルタイ工具を取り付け自在に受け入れるハーネスボード固定具に関する。ハーネスボード固定具は、更に、自動ケーブルタイ工具によってケーブルタイを適用できるプッシュマウントを取り付け自在に受け入れてもよい。
【背景技術】
【０００３】
自動ケーブルタイ工具を容易に正確に且つ固定的に取り付けることができるハーネスボード固定具を提供するのが望ましい。
【発明の開示】
【発明が解決しようとする課題】
【０００４】
更に、自動ケーブルタイ工具を固定具に良好に位置決めし且つ固定できる改良取り付け装置を持つハーネスボード固定具を提供するのが望ましい。これらの取り付け装置は、固定具の円弧状ワイヤ束支持面の同じ側に設けられていてもよいし、両側に設けられていてもよく、工具のジョーと係合する相互係合取り付けピンを含んでいてもよい。同じ側に取り付けられている場合には、多数の取り付け装置即ち配置装置が互いに近接して配置されていてもよい。更に、同じ側に配置されている場合には、固定具の前側を形成する反対側は、容易にアクセスできるワイヤ束入口及び出口経路を画成するように開放していてもよい。
【課題を解決するための手段】
【０００５】
更に、プッシュマウントを確実に受け入れて解放自在に保持するための取り付け構造を持つハーネスボード固定具を提供するのが望ましい。プッシュマウント及びケーブルタイは、自動ケーブルタイ工具でワイヤ束に適用されてもよい。プッシュマウントは、スナップ嵌めで支持されていてもよく、固定具のベースに対して実質的に垂直に又は所定の角度で配向されていてもよい。
【０００６】
更に、ケーブルタイの案内に工具の両ジョーを使用する必要なしに、ケーブルタイをワイヤ束の周囲を通って自動ケーブルタイ設置工具のケーブルタイヘッド内に通すガイドを形成する湾曲したワイヤ束支持面を持つハーネスボード固定具を提供するのが望ましい。
【０００７】
更に、工具を固定具に更に確実に且つ固定的にラッチ止めするため、ハーネスボード固定具の取り付けピンと相互係合するように形成された自動ケーブルタイ工具を提供するのが望ましい。
【０００８】
取り付けを更に簡単にでき及び／又は更に固定的にできる工具配置装置を持つように形成された自動ケーブルタイ設置工具を提供するのが望ましい。取り付け装置は、ハーネスボード固定具の対応する取り付け構造と実質的に整合していてもよい。取り付け装置の一方に傾斜面が設けられていてもよく、この傾斜面により、大まかな初期配置位置から正確な取り付け位置まで自動ケーブルタイ工具の移動を案内できる。
【０００９】
ケーブルタイ工具の適正な作動を確実にするための一つ又はそれ以上のセンサを持つハーネスボード固定具を提供するのが望ましい。
本発明を添付図面を参照して説明する。
【発明を実施するための最良の形態】
【００１０】
図１乃至図１５は、プッシュマウント２２を受け入れることができるハーネスボード固定具２０を示す。ハーネスボード固定具２０は、適当な作業面（図示せず）に取り付けることができ、例えば自動車産業、電気器具産業、及び航空宇宙産業で使用されるワイヤハーネスの製造で有用である。ハーネスボード固定具２０によって取り付け自在に受け入れられた自動ケーブルタイ工具２８を使用し、固定具に置いたワイヤ束２６にケーブルタイ２４を適用してもよい。
【００１１】
自動ケーブルタイ設置工具はそれ自体周知である。これらの工具の例には、米国特許第３，９４７，７６９号、米国特許第３，９７６，１０８号、米国特許第４，４９８，５０６号及び  米国特許第４，６３２，２４７号に開示された工具が含まれる。これらは全てパンディット社に譲渡されており、これらの特許に触れたことにより、これらの特許に開示された内容は本明細書中に含まれたものとする。更に、同様の工具が、パンディット社から、ＰＡＴ１Ｍ自動ケーブルタイシステム及びＰＡＴ１．５Ｍ自動ケーブルタイシステムの商標で販売されている。しかしながら、例示のケーブルタイ工具は、ハーネスボード固定具２０と噛み合うための以下に説明する追加の装置を含んでもよい。更に、特定の実施例では、ハーネスボード固定具２０は、適正なケーブルタイ作業を確実にするための一つ又はそれ以上のセンサ３０、４４、４６を含んでもよい。
【００１２】
作動では、図１に示すように、プッシュマウント２２をハーネスボード固定具２０に取り外し自在に挿入する。図１５に最もよく示すように、プッシュマウント２２は、凹所をなしたキャビティ内に取り外し自在に受け入れられ、保持ラッチによって保持される。図８乃至図１３に示すように、センサ３０は、プッシュマウント２２が適正に配置されていることを表示する。次いで、ケーブルタイ工具２８をハーネスボード固定具２０に配置する、これは、後工具配置スタッド３２（一つだけを示す）を固定具に設けられた対応する工具配置サドル３４、３６に固定的に位置決めし、前工具配置スタッド３８（一つだけを示す）を固定具に設けられた対応する工具配置パッド４０、４２上に位置決めすることによって行われる。固定具位置決めサドル３４、３６が工具２８の前後移動を図４に示すように実質的に制限した状態で工具を固定具に対して正確に配置する。好ましくは、サドル３４、３６を画成する少なくとも一つの表面は、工具を最初におおまかに配置し、工具２８を正確な取り付け整合状態にできるように傾斜している。
【００１３】
図７及び図１０で最もよくわかるように、工具配置スタッド３２、３８が工具配置サドル３４、３６及び工具配置パッド４０、４２の夫々と係合すると、工具配置スタッド３２、３８がセンサ４４、４６の夫々を賦勢し、ケーブルタイ２４をプッシュマウント２２に適用する上でケーブルタイ工具２８が適正に位置決めされていることを表示する。センサ３０、４４、及び４６は、プッシュマウント２２及びケーブルタイ工具２８が適正に配置されているときにケーブルタイ工具２８を自動的にトリガーするようにプログラムされていてもよく、又は手作業によってしかケーブルタイ工具２８をトリガーできなくてもよい。センサ４４、４６のリードは、外部遠隔制御のために設けられたケーブルタイ工具２８のディスペンサパラレルポートに、又はディスペンサシリアルポートに接続できる。後者の場合、マルチプレクシング回路を必要とする。
【００１４】
図１１で最もよくわかるように、ひとたびケーブルタイ工具２８を作動させると、ケーブルタイ２４は、前ジョー４８及び後ジョー５０によって、及びケーブルタイ２４のヘッド５２を通して送られる。次いで、ケーブルタイ工具２８の前ジョー４８が回転し、図１２に示すようにケーブルタイ２４をヘッド５２に通す。ケーブルタイに張力を加え、切断し、図１３に示すようにプッシュマウント２２をハーネスボード固定具２０から引き出す。プッシュマウント２２をハーネスボード固定具２０から取り出したとき、センサ３０はもはやアクティブでなく、ワイヤ束２６が完全に固定された（図１４参照）ことを示す。
【００１５】
様々な大きさ及び形状のプッシュマウントを保持するためのスナップインアダプタを設けることによって、様々な種類のプッシュマウントを受け入れることができる。翼形プッシュマウント２２が図１乃至図１４に示してある。しかしながら、図１５に示す傘形プッシュマウント２２を使用してもよい。図１５で最もよくわかるように、アダプタ５４をハーネスボード固定具２０に位置決めしてもよく、ピン５６をハーネスボード固定具取り付け穴５８及びアダプタ取り付け穴６０に挿入し、アダプタ５４をハーネスボード固定具２０に固定してもよい。同様に、アダプタ５４をハーネスボード固定具２０に固定するのにこの他のファスニング手段を使用することが考えられる。更に、プッシュマウントが設けられていないケーブルタイを適用するためにブランクアダプタ５４を使用してもよい。
【００１６】
図１６乃至図２１は、ハーネスボード固定具１００の第２実施例を示す。この固定具は、自動ケーブルタイ工具２００を取り付け自在に受け入れる。ハーネスボード固定具１００はプッシュマウント３００を取り付け自在に受け入れる。ケーブルタイ５００（図１９乃至図２０参照）は、自動ケーブルタイ工具２００を使用してプッシュマウント３００を通して、及びワイヤ束４００の周囲に適用される。ハーネスボード固定具１００は、適当な作業面（図示せず）に取り付けることができ、例えば自動車産業、電気器具産業、及び航空宇宙産業で使用されるワイヤハーネスの製造で有用である。
【００１７】
図１６に示すように、ハーネスボード固定具１００は主本体１１０及びベース１２０を含む。ベースには、垂直方向に配向された作業面又は水平方向に配向された作業面等の支持面に固定具を取り付けるための取り付け穴１２５が設けられている。固定具１００は、更に、円弧状ワイヤ束支持面１３０及び自動ケーブルタイ設置固定具取り付け装置を含むこの装置は、一対の工具配置サドル１４０、一対の工具配置パッド１５０、及び全体がサドル１４０及びパッド１５０の下に配置された水平方向に延びる取り付けピン１６０を含む。ワイヤ束支持面１３０は、好ましくは、プッシュマウント３００を受け入れて一時的に保持する（図１９参照）ため、プッシュマウント受け入れキャビティ１３２及びプッシュマウント保持ラッチ１３４を含む。ケーブル支持面１３０は、更に、好ましくは、以下に説明するように、ケーブルタイの設置中にケーブルタイを受け入れて案内するように大きさが定められた凹所をなしたチャンネル１３６を含む。
【００１８】
キャビティ１３２は、好ましくは、プッシュマウント３００を固定具１００のベース１２０に対して垂直な実質的に垂直な配向で支持するために設けられる。これにより、プッシュマウントを垂直方向に設置する場合に設置が容易になる。しかしながら、プッシュマウントは、自動ケーブルタイ設置工具２００に対して正しく配向されている必要がある。正確な配向は、工具のジョー及びハンドルの設計を含む幾つかのファクタで決まる。好ましくは、固定具が取り付けられた合板又は他のベース支持体にハンドルが当たらないように工具を配向する必要がある。十分に高く設計されている場合には、プッシュマウントは、図示のように、実質的に垂直に設けられていてもよい。工具とベース基材との間で干渉が生じないようにするには高さが不十分な場合には、不十分な高さを補償するため、固定具１００をスタンドオフに取り付けてもよい。別の態様では、プッシュマウントを工具に対して適正に配向し、工具２００を適正に作動できるようにするため、プッシュマウントキャビティ１３２を支持面１３０に沿って僅かな角度で配向してもよい。代表的なプッシュマウントは、約０°乃至２０°の角度αで配向されていてもよい（図１７参照）。
【００１９】
自動ケーブルタイ設置工具２００は、一端がフィーダーホース（図示せず）を通して従来の係合ディスペンサ（図示せず）に連結されたハンドル２１０を含む。ケーブルタイ工具ヘッド２２０がハンドル２１０の他端に設けられている。ヘッド２２０は、固定具１００の位置決めパッド１５０と噛み合う突出した一対の工具配置装置２３０、及び固定具１００に設けられた対応する固定具配置ピンサドル１４０と噛み合う一対の固定具配置スタッド２４０を含む。工具２００の後側は、好ましくは、図示の側部と実質的に鏡像対称である。好ましくは、ハーネスボード固定具に設けられた配置装置のうちの少なくとも一方が傾斜面を有し、これにより、工具を正確な取り付け整合状態に案内するため、取り付け中、工具２００を最初に大まかに配置できる。これには、図１７で最もよくわかるように、工具配置ピンサドル１４０の傾斜面１４５及び／又は配置パッド１５０の傾斜面が含まれる。
【００２０】
工具ヘッド２２０は、更に、ケーブルタイ５００をワイヤ束４００の周囲に供給するための構造をヘッド２２０内に備えている。ケーブルタイ５００の経路を画成するのを補助するため、工具２００は、枢動前ジョー２５０を含む。ヘッド２２０は、更に、後ジョー２６０を含む。しかしながら、従来のケーブルタイ設置工具は、ケーブルタイの経路を画成するのを補助するために後ジョーを使用したが、この工具は、主として、取り付けピン１６０を使用して工具２００を固定具１００と噛み合わせるために後ジョー２６０を使用する。詳細には、工具２００は、配置装置を整合することによって固定具１００上に位置決めされる。完了時に後ジョー２６０を閉鎖し、図１９に示す位置に置く。ここで、ノッチ２６５が取り付けピン１６０と固定的に相互係合する。これにより、ピン２４０をピンサドル１４０に係止し、配置面２３０を配置パッド１５０に係止することによって、工具２００を固定具１００に固定的に取り付ける。
【００２１】
ケーブル工具２００及びハーネスボード固定具１００の作動を図１９及び図２０を参照して説明する。随意であるが、プッシュマウント３００がプッシュマウント受け入れキャビティ１３２に設けられており、保持ラッチ１３４によって取り外し自在に支持されている。様々な大きさ又は形状のプッシュマウントを保持するスナップインアダプタを設けることによって、様々な種類のプッシュマウントを受け入れることができる。翼形プッシュマウント３００が示してある。しかしながら、ケーブルタイをプッシュマウントなしで適用するため、ブランクアダプタを使用してもよいと考えられる。
【００２２】
次いで、先ず最初にケーブルワイヤ４００の束を所定の形体で、一つ又はそれ以上のハーネスボード固定具１００の一つ又はそれ以上のケーブル支持面１３０上の経路に配置し、配線ハーネスを形成する。このような束４００についての代表的な用途は、自動車の配線ハーネスの製造における用途であるが、他のワイヤ束の形成に使用してもよい。各固定具及び工具組み合わせは、好ましくは、ワイヤ束の所定の最大の大きさに合わせて大きさが定められる。これには、例えば、３８．１ｍｍ（１．５インチ）又は５０．８ｍｍ（２．０インチ）の最大束直径が含まれ、これらは適当な大きさのケーブルタイによって束にされる。束４００が適当に位置決めされた後、図１９に示すように配置装置を整合することによってケーブルタイ設置工具２００を固定具１００に束４００の上で取り付ける。この位置では、前ジョー２５０は、最初、開放している。
【００２３】
次いで、ケーブル工具２００を作動させ、ケーブルタイ５００を工具ヘッド２２０内に送り、この工具ヘッドがタイをワイヤ束４００の周囲で及びプッシュマウント３００を通して前進する。ケーブルタイ５００の移動は、内部が凹所をなした前ジョー２５０が画成する経路によって、及びケーブルタイを内部に受け入れる大きさのケーブル支持面１３０の円弧状案内チャンネル１３６によって制限される。プッシュマウント３００が設けられる場合には、プッシュマウント３００のプッシュマウントヘッドの穴を通してケーブルタイ５００を供給する。
【００２４】
次いで、枢動継手２５２を中心として前ジョー２５０を閉鎖位置まで回転する。これにより、ケーブルタイ５００をケーブルタイヘッドに強制的に通し、図２０に示すようにケーブルタイをワイヤ束４００の周囲にぴったりと締め付ける。ケーブルタイ５００に張力を加えて切断し、プッシュマウント３００をハーネスボード固定具１００から引き出す。完了時に後ジョー２６０を引っ込め、工具２００を固定具１００から外し、工具２００を取り外すことができる。次いで、必要な全てのケーブルタイ５００をワイヤ束４００に設置した後、ワイヤ束４００によって形成された完成したワイヤハーネスをハーネスボード固定具１００から取り出すことができる。
【００２５】
図示のように、ハーネスボード固定具１００では、いずれかの側部、上側又は前側等の多数の側部からのワイヤ束支持面１３０へのアクセスを有し、これにより、ワイヤ束４００を、支持面１３０上に及びこの支持面上に位置決めする上で、又はこの支持面から遠ざける上での融通性を向上できる。これは、全てのケーブルタイ設置工具配置装置を、図示のように固定具１００の一方の側に設けることができるためであり、これにより、反対側即ち前側を開放し、障害をなくすことができる。かくして、ワイヤ束の取り出し及び進入を可能にするため、ワイヤ束入口及び出口経路を固定具の前側に設けることができる。更に、前ジョー２５０からケーブルタイのヘッドとぴったりと隣接した位置まで連続的に延びるケーブル案内面１３６を提供することによって、後ジョーを使用するケーブルタイガイドの必要をなくし、主に取り付けピン１６０と係合するために後ジョーを使用できる。
【００２６】
固定具１００で使用するための様々なプッシュマウント及びプッシュマウント保持固定具を図２１乃至図２７を参照して説明する。図２１は、凹所をなした壁によって画成されたプッシュマウントキャビティ１３２、プッシュマウント３００と噛み合うプッシュマウント保持ラッチ１３４、及びケーブルタイ溝１３６を含むケーブル支持面１３０の部分拡大図を示す。図２２、図２３、及び図２４は第１の例示のマウントを示し、図２５、図２６、及び図２７は第２の例示のマウントを示す。
【００２７】
図２２のプッシュマウント３００は、正方形の中央穴３１２が貫通したプッシュマウントヘッド３１０及び翼形ベース３１４を含む。ステム３２０が穴３１２に対して垂直に延びている。このステムは、当該技術分野で周知のように複数の一方向係止リブ３３０を含む。これらのリブは、好ましくは、保持穴（図示せず）への挿入を容易にするが、挿入後の穴からの取り外しに抵抗するように傾斜している。この実施例では、プッシュマウント３００は、更に、外方への突出部の形態の保持エレメント３４０をステム３２０の両側に含む。
【００２８】
プッシュマウント受け入れキャビティ１３２は、図２３に最もよく示すように、保持ラッチ１３４を含む。これらのラッチ１３４は、ラッチの一端を壁に片持ち梁式に取り付けること等によってキャビティ１３２の壁に可撓性で取り付けられる。ラッチが弾性であるため、適当な大きさのプラスチック又は金属から形成されている場合、ラッチ１３４は、キャビティへのプッシュマウント３００の進入中に撓む（図２３参照）。更に、プッシュマウント３００を一杯に挿入すると（図２４参照）、保持エレメント３４０がラッチ１３４と相互係合することによって、ラッチ１３４がプッシュマウント３００を弾性で保持する。しかしながら、十分な力を上方に加えると、プッシュマウント３００をラッチ１３４から外すことができる。
【００２９】
可撓性のラッチを使用することにより、従来のプッシュマウント保持構造を越える様々な利点が得られる。従来、プッシュマウントは、キャビティ１３２の底壁の適当な大きさの開口部に摩擦嵌めによって保持されていた。この設計はしばらくの間は機能するが、ハーネスボード固定具が、代表的には、多くのワイヤハーネスの組み立てのために繰り返し使用されるため、キャビティの底壁の開口部は、最終的には、磨耗によりもはや摩擦嵌めしない程度まで大きくなる。これにより、組み立てプロセスが複雑になったり遅くなったりし、そのため、新たな固定具を設置する必要が出てくる。
【００３０】
可撓性ラッチ１３４は、このような磨耗の問題を生じることなく繰り返し使用できる。更に、摩擦嵌めに依拠するのでなく、挿入中にラッチ１３４が撓み、挿入力を減少するが、プッシュマウント３００に押圧力を十分に加え、又はスナップ嵌めし、プッシュマウントを固定具に保持する。
【００３１】
図２５、図２６、及び図２７は変形例を示す。この実施例では、プッシュマウント３００’は、同様のプッシュマウントヘッド３１０’、穴３１２’、及び翼形ベース３１４’を含む。しかしながら、ステム３２０’は、係止リブ３３０’及びステム３２０’の一部内を下方に延びる細長いキャビティの形態の保持エレメント３４０’を含む。キャビティは、ステム３２０’の遠い方の端部まで全体に亘って延びているのではない。プッシュマウント受け入れキャビティ１３２は、この実施例では、保持ラッチ１３４’を含む。ラッチ１３４’は、同様に、ステム３２０’を挿入できるように変形する。しかしながら、ステム３２０’を十分に挿入した後、ラッチ１３４’が少なくとも僅かに保持キャビティ３４０’に押し込まれ、これによりプッシュマウント３００を抜けないように摺動自在に保持する。或る程度の垂直方向移動を許容する細長い形態を持つように示してあるけれども、プッシュマウント３００’を垂直方向固定位置にしっかりと保持するため、保持キャビティ３４０’を短くしてもよい。
【００３２】
図２８乃至図３１は、ハーネスボード固定具１００’’の別の実施例を示す。図２８では、ハーネスボード固定具１００’’は主本体１１０’’及び取り付け穴１２５’’を持つベース１２０’’を含む。固定具１００’’は、更に、円弧状ケーブル支持面１３０’’及び自動ケーブルタイ設置工具取り付け装置を含む。取り付け装置は、一対の工具配置ピンサドル１４０’’、一対の工具配置パッド１５０’’、及び全体がサドル１４０’’の下に配置された水平方向に延びる取り付けピン１６０’’を含む。ケーブル支持面１３０’’は、上述の実施例と同様に、好ましくは、プッシュマウント３００’’を受け入れてこれを一時的に保持するためのプッシュマウント受け入れキャビティ１３２’’及びプッシュマウント保持ラッチ１３４’’を含む。キャビティ１３２’’は、好ましくは、プッシュマウント３００’’を実質的に垂直方向配向で、固定具１００’’のベース１２０’’に対して垂直に支持するために設けられている。ケーブル支持面１３０’’は、更に、好ましくは、ケーブルタイの設置中にケーブルタイを受け入れて案内する大きさの凹所をなしたチャンネル１３６’’を含む。しかしながら、この実施例では、配置パッド１５０’’及びピンサドル１４０’’が固定具の両側に設けられている。図２９に示すように、配置パッド１５０’’はケーブル支持面１３０’’の左側に起立アーム１５５’’の頂部分に設けられている。上述の実施例におけるのと同様に、ピンサドル１４０’’はケーブル支持面１３０’’の右側に実質的に取り付けピン１６０’’の上方に設けられている。更に、工具をピンサドル１４０’’に対して適正に整合するのを補助するため、傾斜した配置面１４５’’が設けられていてもよい。
【００３３】
図２８では、工具２００’’は図１に示す工具２００と同じであってもよく、又は僅かに異なる形体を備えていてもよい。図示のように、自動ケーブルタイ設置工具２００’’は、ハンドル２１０’’、及び工具配置面２３０’’を持つケーブルタイ工具ヘッド２２０’’、工具配置ピン２４０’’、前ジョー２５０’’、及び後ジョー２６０’’を含む。エレメント２４０’’、２５０’’、及び２６０’’は上文中に説明した実施例におけるのと同じである。しかしながら、この実施例では、異なる面が工具配置面２３０’’として作用し、これが、固定具１００’’に設けられた変更した配置パッド１５０’’と噛み合う。この実施例では、工具２００’’の前面を工具配置面２３０’’として使用する。好ましくは、ハーネスボード固定具１００’’に設けられた少なくとも一つの工具配置装置が、工具２００’’を正確な取り付け整合状態に案内するため、取り付け中、工具２００’’を最初に大まかに配置できる。これには、工具配置ピンサドル１４０’’の傾斜面１４５’’及び／又は図２８に更によく示してあるように配置パッド１５０’’の傾斜面を含んでもよい。
【００３４】
この実施例のケーブル工具２００’’及びハーネスボード固定具１００’’の作動は、図１６のアッセンブリと同じである。随意であるが、プッシュマウント３００’’をプッシュマウント受け入れキャビティ１３２’’に設置してもよい。次いで、ケーブルワイヤ束４００’’を、先ず最初に、一つ又はそれ以上のハーネスボード固定具１００’’の一つ又はそれ以上のケーブル支持面１３０’’に置き、配線ハーネスを形成する。束４００が適当に配置された後、図３１に示すように配置装置を整合することによって、ケーブルタイ設置工具２００’’を工具１００’の束４００’’の上に取り付ける。
【００３５】
次いでケーブル工具２００’’を作動し、ケーブルタイ５００’’をヘッド２００’’内に送り、ワイヤ束４００’’の周囲で前進し、プッシュマウント３００’’に通す。ケーブルタイ５００’’の移動は、同様に、前ジョー２５０’’及び円弧状チャンネル１３６’’によってケーブル支持面１３０’’に画成された経路に制限される。
【００３６】
次いで、前ジョー２５０’’が枢動継手２５２’’を中心として図示の閉鎖位置まで回転し、ケーブルタイを完全に通す。次いでケーブルタイ５００’’に張力を加えて切断し、プッシュマウント３００’’をハーネスボード固定具１００’’から引き出す。完了後、後ジョー２６０’’を上述の実施例におけるのと同様に引っ込める。次いで、全ての必要なケーブルタイ５００’’がワイヤ束４００’’に設置された後、ワイヤ束４００’’によって形成された完成したワイヤハーネスをハーネスボード固定具１００’’から取り出すことができる。
【００３７】
開示の発明は、プッシュマウントを受け入れるハーネスボード固定具を提供する。プッシュマウント及びケーブルタイは、自動ケーブルタイ工具によってワイヤ束に適用できる。上文中に説明し且つ例示した実施例及び本発明の好ましい実施例は、本発明によるこのようなハーネスボード固定具がとることのできる形体を網羅的に列挙したものではなく、むしろ、現在理解されている本発明の例示の実施例として役立つものであるということに着目すべきである。本発明のこの他の多くの形体が存在するものと考えられる。
【図面の簡単な説明】
【００３８】
【図１】本発明によるハーネスボード固定具を前方から見た斜視図である。
【図２】図１のハーネスボード固定具を後方から見た斜視図である。
【図３】内部に位置決めされたワイヤ束及びその上方に配置されたケーブルタイ工具を示す、図１のハーネスボード固定具を前方から見た斜視図である。
【図４】ケーブルタイ工具を位置決めした後の図３のハーネスボード固定具を前方から見た斜視図である。
【図５】ワイヤ束を取り外した図３のハーネスボード固定具の分解図である。
【図６】図５の６−６線に沿った断面図である。
【図７】図５の７−７線に沿った断面図である。
【図８】図６の８−８線に沿った断面図である。
【図９】図８のハーネスボード固定具の拡大正面図である。
【図１０】ワイヤ束及びケーブルタイ工具が内部に位置決めされた図９のハーネスボード固定具の正面図である。
【図１１】ケーブルタイ工具を作動させた後の図１０のハーネスボード固定具の正面図である。
【図１２】ケーブルタイを通すところを示す、図１０のハーネスボード固定具の正面図である。
【図１３】ハーネスボード固定具から外したプッシュマウントを示す、図１０のハーネスボード固定具の正面図である。
【図１４】プッシュマウントをハーネスボード固定具から取り外した、図１０のハーネスボード固定具の分解図である。
【図１５】本発明による様々なハーネスボード固定具の前方から見た分解斜視図である。
【図１６】ワイヤ束を受け入れて内部に位置決めし、固定具への取り付け前にケーブルタイ工具がその上に配置される、ハーネスボード固定具の第２実施例を前方から見た斜視図である。
【図１７】図１６のハーネスボード固定具の側面図である。
【図１８】図１６のハーネスボード固定具の正面図である。
【図１９】ハーネスボード固定具に位置決めされたワイヤ束を部分的に取り囲む初期開放ジョー位置でケーブルタイ工具が取り付け自在に位置決めされた、図１６のハーネスボード固定具の側面図である。
【図２０】ハーネスボード固定具に位置決めされたワイヤ束をぴったりと取り囲む閉鎖ジョー位置でケーブルタイ工具が取り付け自在に位置決めされた、図１９のハーネスボード固定具の側面図である。
【図２１】図１６のハーネスボード固定具のプッシュマウント受け入れキャビティを前方から見た部分斜視図である。
【図２２】図１６のハーネスボード固定具で使用するための例示のプッシュマウントの側面図である。
【図２３】図１６のハーネスボード固定具のプッシュマウントキャビティに挿入した図２２のプッシュマウントを示す、図２２の２３−２３線に沿った部分断面図である。
【図２４】プッシュマウントを一杯に設置し、プッシュマウント受け入れキャビティ内に可撓性で保持された状態で示す、図２２の部分断面図である。
【図２５】図１６のハーネスボード固定具で使用するための変形例のプッシュマウントの側面図である。
【図２６】図１６のハーネスボード固定具の変形例のプッシュマウント受け入れキャビティに挿入した図２５のプッシュマウントを示す、図２５の２６−２６線に沿った部分断面図である。
【図２７】プッシュマウントがプッシュマウント受け入れキャビティ内に保持された、一杯に設置された位置でプッシュマウントを示す、図２５の部分断面図である。
【図２８】ワイヤ束を受け入れて内部に位置決めし、固定具への取り付け前にケーブルタイ工具がその上に配置される、ハーネスボード固定具の別の実施例を前方から見た斜視図である。
【図２９】図２８のハーネスボード固定具の側面図である。
【図３０】図２８のハーネスボード固定具の正面図である。
【図３１】ハーネスボード固定具に位置決めされたワイヤ束をぴったりと取り囲む閉鎖ジョー位置でケーブルタイ工具が取り付け自在に位置決めされた、図２８のハーネスボード固定具の側面図である。
【符号の説明】
【００３９】
２０  ハーネスボード固定具
２２  プッシュマウント
２４  ケーブルタイ
２６  ワイヤ束
２８  自動ケーブルタイ工具
３０  センサ
３２  後工具配置スタッド
３４、３６  工具配置サドル
３８  前工具配置スタッド
４０、４２  工具配置パッド
４４、４６  センサ
【図１】
2006137495.tif 000003
【図２】
2006137495.tif 000004
【図３】
2006137495.tif 000005
【図４】
2006137495.tif 000006
【図５】
2006137495.tif 000007
【図６】
2006137495.tif 000008
【図７】
2006137495.tif 000009
【図８】
2006137495.tif 000010
【図９】
2006137495.tif 000011
【図１０】
2006137495.tif 000012
【図１１】
2006137495.tif 000013
【図１２】
2006137495.tif 000014
【図１３】
2006137495.tif 000015
【図１４】
2006137495.tif 000016
【図１５】
2006137495.tif 000017
【図１６】
2006137495.tif 000018
【図１７】
2006137495.tif 000019
【図１８】
2006137495.tif 000020
【図１９】
2006137495.tif 000021
【図２０】
2006137495.tif 000022
【図２１】
2006137495.tif 000023
【図２２】
2006137495.tif 000024
【図２３】
2006137495.tif 000025
【図２４】
2006137495.tif 000026
【図２５】
2006137495.tif 000027
【図２６】
2006137495.tif 000028
【図２７】
2006137495.tif 000029
【図２８】
2006137495.tif 000030
【図２９】
2006137495.tif 000031
【図３０】
2006137495.tif 000032
【図３１】
2006137495.tif 000033
【外国語明細書】
2006137495000001.pdf